(57)【要約】      （修正有）【課題】商品券等が入った封筒等、厚みのある添付物を保持するためのスリットが設けられ、添付物セット時のスリットの破れを防止すると共に、スリット形成時の紙ごみの発生を防止する宣伝媒体を提供する。【解決手段】四角形状であって所定厚みのある添付物２を保持するための添付物保持部８を備える添付用台紙３と、この添付用台紙の添付物保持部８の四隅に、折曲部１０Aが添付物保持部８の中心方向を向くように設けられた鉤状、即ちL字状やU字状のスリット１０とより構成した。【選択図】図３
0003206497.tif 000002
【実用新案登録請求の範囲】
【請求項１】
四角形状であって所定厚みのある添付物を保持するための添付物保持部を備える添付用台紙と、この添付用台紙の添付物保持部の四隅に、折曲部が添付物保持部の中心方向を向くように設けられた鉤状のスリットとよりなることを特徴とする添付物を保持する宣伝媒体。
【請求項２】
添付物保持部に広告印刷がなされていることを特徴とする添付物を保持する宣伝媒体。
【考案の詳細な説明】
【技術分野】
【０００１】
本考案は、商品券等が入った封筒等の添付物を保持するスリットが設けられた宣伝媒体に関するものである。
【背景技術】
【０００２】
従来、この種宣伝媒体は、発送者が送るメッセージを受取人に強く印象付けるため、様々なデザインの広告を備えるものが知られている。例えば、特開２０１５−１４０２１７号公報（特許文献１）には、台紙と、前記台紙の外面（表面）に設けられた、メッセージを記入可能な記入欄と、前記台紙の内面（裏面）に設けられ、メッセージを含むデザインを型抜きして得られた緩衝材とを備え、商品に巻き付けて包装する包装材が開示されている。
【０００３】
また、特開２０１２−５１３１８号公報（特許文献２）には、カードや証明書等の添付物を添付するために利用される添付用台紙が開示されており、この添付用台紙には、四角形状の添付物が添付される位置に応じて、前記添付物の角部を嵌め込むため、台紙の対角線上の二隅に直線状のスリットが設けられている。
【０００４】
更に、特開２００６−２８１５４６号公報（特許文献３）には、台紙を縦折り曲げ予定線により左右に二分したときの左頁及び右頁の一方に、カード保持部と、メッセージ記入部と、必要事項記入部と、左頁及び右頁の他方に広告記入部を備えたカード送付用台紙が開示されており、この台紙のカード保持部は、カード（添付物）の角部を嵌め込むため、台紙の対角線上の二隅に直線状のスリットが設けられている。
【先行技術文献】
【特許文献】
【０００５】
【特許文献１】特開２０１５−１４０２１７号公報
【特許文献２】特開２０１２−５１３１８号公報
【特許文献３】特開２００６−２８１５４６号公報
【考案の概要】
【考案が解決しようとする課題】
【０００６】
前述した先行技術文献は、いずれも台紙の対角線上の二隅に直線状のスリットが設けられているだけであるため、カードや証明書等の平面的な添付物であれば良いが、複数枚の商品券が入った封筒等の厚みのある添付物の場合、しっかりと保持できず脱落する恐れがあった。
【０００７】
このため、台紙の対角線上の四隅に直線状のスリットを設け、添付物の角部を台紙四隅のスリットに差し込み、添付物を四か所で保持することで、厚みのある添付物であってもしっかり保持できるようになった。
【０００８】
しかしながら、四隅のスリットに厚みのある添付物をセットする際、スリットに遊びが無いとスリットが破れてしまうため、スリットの両端に小さな丸穴を形成して遊びを設けたが、この丸穴を形成する時に切り抜かれたごみが台紙に付着してしまうという問題があった。
【０００９】
本考案は、商品券等が入った封筒等、厚みのある添付物を保持するためのスリットが設けられ、添付物セット時のスリットの破れを防止すると共に、スリット形成時の紙ごみの発生を防止することを目的とした添付物を保持する宣伝媒体を提供する。
【課題を解決するための手段】
【００１０】
本考案の請求項１にかかる添付物を保持する宣伝媒体は、四角形状であって所定厚みのある添付物を保持するための添付物保持部を備える添付用台紙と、この添付用台紙の添付物保持部の四隅に、折曲部が添付物保持部の中心方向を向くように設けられた鉤状のスリットとよりなることを特徴とする。
【００１１】
また、請求項２にかかる添付物を保持する宣伝媒体は、添付物保持部に広告印刷がなされていることを特徴とする。
【考案の効果】
【００１２】
本考案の添付物を保持する宣伝媒体は、添付用台紙の添付物保持部の四隅に、折曲部が添付物保持部の中心方向を向くように鉤状のスリットを設けたことにより、例えば、商品券等が入った封筒等、四角形状であって所定の厚みのある添付物をセットしても、スリットが鉤状であるため、添付物の四つの角部がスリットから添付用台紙裏面に入る際、添付用台紙の鉤状部分が表面方向に撓み、スリットが破れることを防止できると共に、添付物の四つの角部を保持するため、脱落等を確実に防止できる。
【００１３】
また、スリット両端に丸穴などの遊びを形成する必要がないため、スリット形成時のごみの発生も防止できる。
【００１４】
また、添付物保持部に、広告、優待券、QRコードや抽選券等の広告印刷がなされているため、受取人が添付物を取り外した後、これらの広告印刷を確実に目にすることとなり、宣伝効果の向上を図ることができる。
【図面の簡単な説明】
【００１５】
【図１】図１は本考案の添付物を保持する宣伝媒体を構成する添付用台紙の表面図である。
【図２】図２は本考案の添付物を保持する宣伝媒体を構成する添付用台紙の裏面図である。
【図３】図３は本考案の添付物を保持する宣伝媒体であって、商品券の封筒をセットした状態を示す添付用台紙の裏面図である。
【考案を実施するための形態】
【００１６】
本考案は、商品券等が入った封筒等、四角形状であって厚みのある添付物をセットしても、スリットが破れることを防止できると共に、添付物の脱落等を確実に防止し、更に、スリット両端の遊びを不要とし、スリット形成時のごみの発生も防止できる構造とした。
【００１７】
また、添付物保持部に、広告、優待券、QRコードや抽選券等の広告印刷を行い、宣伝効果の向上を図ることができる構造とした。
【実施例１】
【００１８】
図１乃至図３の１は、本考案の宣伝媒体であって、顧客や会員などに対して商品券等の入った封筒、即ち四角形状であって厚みのある添付物２を郵送する際などに用いられる。その際、顧客や会員にアピールしたい事項を印刷し、販売促進のツールとしても用いられるものである。
【００１９】
図１は宣伝媒体１を構成する長方形の添付用台紙３の表面図であり、折り線４を挟んで、左側に企業名、連絡先などの企業情報５が、右側に写真、ロゴ、イラストなどの表紙絵６が印刷されている。尚、送付時には、前記折り線４で二つ折り（山折り）にし、右側の表紙絵６が表面、左側の企業情報５が裏面となる。
【００２０】
図２及び図３は、添付用台紙３の裏面側であり、二つ折りにした際に内側（中面）となるもので、左側には、顧客、会員に充てたメッセージ７、例えば企業理念、環境施策などの企業のアピールポイントが印刷されている。
【００２１】
また、添付用台紙３の右側には、四角形状であって所定厚みのある添付物２を保持するための添付物保持部８が設けられていると共に、この添付物保持部８には、広告、優待券、QRコードや抽選券等の広告印刷９がなされている。
【００２２】
前記添付物保持部８は、図２及び図３において、前記添付用台紙３の右側部分の四隅に設けられた鉤状、即ちL字状やU字状のスリット１０により構成されており、このスリット１０は折曲部１０Aが添付物保持部８の中心方向を向くように設けられている。
【００２３】
このため、添付物２に厚みがあっても、添付物２の四つの角部がスリット１０から添付用台紙３裏面に入る際、添付用台紙３の鉤状部分３Aが表面方向に撓むため、丸穴などの遊びを設けることなくスリット１０の破れを防止できる。
【００２４】
以上の如く、本考案の宣伝媒体１は、四角形状であって所定厚みのある添付物２を保持するための添付物保持部８を備える添付用台紙３と、この添付用台紙３の添付物保持部８の四隅に、折曲部１０Aが添付物保持部８の中心方向を向くように設けられた鉤状、即ちL字状やU字状のスリット１０とより構成した。
【００２５】
これにより、商品券等が入った封筒等、四角形状であって所定の厚みのある添付物２をセットしても、スリット１０が鉤状であるため、添付物２の四つの角部がスリット１０から添付用台紙３裏面に入る際、添付用台紙３の鉤状部分が表面方向に撓み、スリット１０が破れることを防止できると共に、添付物２の四つの角部を保持するため、脱落等を確実に防止できる。
【００２６】
また、スリット１０両端に丸穴などの遊びを形成する必要がないため、スリット１０形成時のごみの発生も防止できる。
【００２７】
更に、本考案の宣伝媒体１は、添付物保持部８に広告、優待券、QRコードや抽選券等の広告印刷９がなされていることにより、受取人が添付物２を取り外した後、これらの広告印刷９を確実に目にすることとなり、宣伝効果の向上を図ることができる。
【符号の説明】
【００２８】
１  宣伝媒体
２  添付物
３  添付用台紙
３A  鉤状部分
８  添付物保持部
９  広告印刷
１０  スリット
１０A  折曲部
【図１】
0003206497.tif 000003
【図２】
0003206497.tif 000004
【図３】
0003206497.tif 000005
【手続補正書】
【提出日】平成28年7月27日(2016.7.27)
【手続補正１】
【補正対象書類名】実用新案登録請求の範囲
【補正対象項目名】全文
【補正方法】変更
【補正の内容】
【実用新案登録請求の範囲】
【請求項１】
四角形状であって所定厚みのある添付物を保持するための添付物保持部を備える添付用台紙と、この添付用台紙の添付物保持部の四隅に、折曲部が添付物保持部の中心方向を向くように設けられた鉤状のスリットとよりなることを特徴とする添付物を保持する宣伝媒体。
【請求項２】
添付物保持部に広告印刷がなされていることを特徴とする請求項１に記載の宣伝媒体。